(57)【要約】【課題】シェーディング補正の補正精度を向上させることができるＡＤＦ型画像読取装置を提供する。【解決手段】シェーディングプレート２８がコンタクトガラス２６の上面に設けられ、かつ読取ユニット３０がコンタクトガラス２６に対して略平行に移動するため、読取ユニット３０からシェーディングプレート２８までの光路長と、読取ユニット３０からコンタクトガラス２６の用紙までの光路長と、が略同一となる。これにより、読取部３６により正確なシェーディング補正データを得ることができ、光源部３２又は／及び読取部３６の感度をシェーディング補正するときの補正精度を高めることができる。【選択図】      図２
2007036398.tif 000002
【特許請求の範囲】
【請求項１】
用紙を画像読取部位に供給する用紙搬送装置と、光を出射する光源部と前記光源部から出射された光を用紙に照射させ前記用紙で反射した光を受光し情報を読み取る読取部とを有する読取ユニットと、前記光源部又は／及び前記読取部の感度をシェーディング補正するために用いられ前記光源部から出射された光が照射されるシェーディング補正手段と、フラットベッドに替えて前記画像読取部位に配置され上面に前記用紙が接触するガラス部材と、を有するＡＤＦ型画像読取装置であって、
前記読取ユニットは、前記ガラス部材に対して略平行に移動可能に設けられ、
前記シェーディング補正手段は、前記ガラス部材の上面に設けられ、
前記読取ユニットを前記ガラス部材に対して略平行に移動させ、前記シェーディング補正手段で反射された光を前記読取部で受光することを特徴とするＡＤＦ型画像読取装置。
【請求項２】
用紙を画像読取部位に供給する用紙搬送装置と、光を出射する光源部と前記光源部から出射された光を用紙に照射させ前記用紙で反射した光を受光し情報を読み取る読取部とを有する読取ユニットと、前記光源部又は／及び前記読取部の感度をシェーディング補正するために用いられ前記光源部から出射された光が照射されるシェーディング補正手段と、フラットベッドに替えて前記画像読取部位に配置され上面に前記用紙が接触するガラス部材と、を有するＡＤＦ型画像読取装置であって、
前記読取ユニットは、回転可能に設けられ、
前記読取ユニットから前記シェーディング補正手段までの光路長が前記読取ユニットから前記ガラス部材の上面に位置した用紙までの光路長と略同一の光路長となるように前記読取ユニットを回転させ、前記シェーディング補正手段で反射された光を前記読取部で受光することを特徴とするＡＤＦ型画像読取装置。
【請求項３】
前記読取ユニットの移動又は回転は手動により行われることを特徴とする請求項１又は２に記載のＡＤＦ型画像読取装置。
【請求項４】
外枠となる筐体を有し、
前記シェーディング補正手段は、前記筐体と前記ガラス部材との間に挟まれて設けられていることを特徴とする請求項１乃至３のいずれか１項に記載のＡＤＦ型画像読取装置。
【発明の詳細な説明】
【技術分野】
【０００１】
本発明は、画像読取装置に係り、特に、用紙搬送装置（ＡＤＦ）を備え、フラットベッドスキャナ機能を有しないＡＤＦ型画像読取装置に関する。
【背景技術】
【０００２】
従来の画像読取装置の中には、用紙を自動的に画像読取部位に供給する用紙搬送装置（ＡＤＦ）のみを備え、フラットベッド及びフラットベッドスキャナ機能を有しないタイプのものがある。この種の画像読取装置の内部には、ＬＥＤ等の光源部と、光源部から出射される光を所定の方向に反射させるための反射ミラーと、用紙の画像等を読み取るＣＣＤ等の読取部と、を備えたキャリッジが固定されている。また、読取部位の上方（コンタクトガラスよりも上方）には白色に塗装されたインナーガイドが配置されている。これにより、光源部からインナーガイドに光を照射させ、このインナーガイドで反射した光（シェーディングデータ）を読取部で読み取ることにより、光源部や読取部における感度のシェーディング補正を行っている。
【特許文献１】特開平６−２９１９４４号公報
【発明の開示】
【発明が解決しようとする課題】
【０００３】
ところで、上記インナーガイドはコンタクトガラスよりも上方に位置しており、用紙は画像読取時にコンタクトの上面に接触しているため、キャリッジからインナーガイドまでの光路長と、キャリッジから用紙までの光路長とが異なることになる。これにより、正確なシェーディングデータが得られず、光源部や読取部の感度のシェーディング補正が正確に行われない問題がある。
【０００４】
また、従来の画像読取装置では、インナーガイドに用紙などが接触するため、インナーガイドが汚れてしまうことがある。インナーガイドが汚れてしまうと、正確なシェーディングデータが得られず、光源部や読取部の感度のシェーディング補正が正確に行われない問題がある。
【０００５】
そこで、本発明は、上記事情を考慮し、シェーディング補正の補正精度を向上させることができるＡＤＦ型画像読取装置を提供することを目的とする。
【課題を解決するための手段】
【０００６】
請求項１に記載の発明は、用紙を画像読取部位に供給する用紙搬送装置と、光を出射する光源部と前記光源部から出射された光を用紙に照射させ前記用紙で反射した光を受光し情報を読み取る読取部とを有する読取ユニットと、前記光源部又は／及び前記読取部の感度をシェーディング補正するために用いられ前記光源部から出射された光が照射されるシェーディング補正手段と、フラットベッドに替えて前記画像読取部位に配置され上面に前記用紙が接触するガラス部材と、を有するＡＤＦ型画像読取装置であって、前記読取ユニットは、前記ガラス部材に対して略平行に移動可能に設けられ、前記シェーディング補正手段は、前記ガラス部材の上面に設けられ、前記読取ユニットを前記ガラス部材に対して略平行に移動させ、前記シェーディング補正手段で反射された光を前記読取部で受光することを特徴とする。
【０００７】
請求項１に記載の発明によれば、シェーディング補正手段が画像読取部位のガラス部材の上面に設けられており、読取部がシェーディング補正手段の近傍に位置するように読取ユニットがガラス部材に対して略平行に移動させられた後、光源部から出射された光がシェーディング補正手段で反射されこの反射光が読取部で受光されることにより、光源部又は／及び読取部の感度がシェーディング補正される。
【０００８】
ここで、シェーディング補正手段がガラス部材の上面に設けられ、かつ読取ユニットがガラス部材に対して略平行に移動するため、読取ユニットからシェーディング補正手段までの光路長と、読取ユニットからガラス部材上面の用紙までの光路長と、が略同一となる。これにより、読取部により正確なシェーディング補正データを得ることができ、光源部又は／及び読取部の感度をシェーディング補正するときの補正精度を高めることができる。なお、本明細書において、「ＡＤＦ型画像読取装置」とは、画像読取装置の中で、特に、用紙搬送装置（ＡＤＦ）を備え、フラットベッドスキャナ機能を有しないタイプの画像読取装置を意味する。
【０００９】
請求項２に記載の発明は、用紙を画像読取部位に供給する用紙搬送装置と、光を出射する光源部と前記光源部から出射された光を用紙に照射させ前記用紙で反射した光を受光し情報を読み取る読取部とを有する読取ユニットと、前記光源部又は／及び前記読取部の感度をシェーディング補正するために用いられ前記光源部から出射された光が照射されるシェーディング補正手段と、フラットベッドに替えて前記画像読取部位に配置され上面に前記用紙が接触するガラス部材と、を有するＡＤＦ型画像読取装置であって、前記読取ユニットは、回転可能に設けられ、前記読取ユニットから前記シェーディング補正手段までの光路長が前記読取ユニットから前記ガラス部材の上面に位置した用紙までの光路長と略同一の光路長となるように前記読取ユニットを回転させ、前記シェーディング補正手段で反射された光を前記読取部で受光することを特徴とする。
【００１０】
請求項２に記載の発明によれば、読取ユニットからシェーディング補正手段までの光路長が読取ユニットからガラス部材の上面に位置した用紙までの光路長と略同一の光路長となるように読取ユニットが回転させられた後、光源部から出射された光がシェーディング補正手段で反射されこの反射光が読取部で受光されることにより、光源部又は／及び読取部の感度がシェーディング補正される。
【００１１】
ここで、読取ユニットが回転させられて、読取ユニットからシェーディング補正手段までの光路長が読取ユニットからガラス部材の上面に位置した用紙までの光路長と略同一の光路長となる。これにより、読取部により正確なシェーディング補正データを得ることができ、光源部又は／及び読取部の感度をシェーディング補正するときの補正精度を高めることができる。
【００１２】
請求項３に記載の発明は、請求項１又は２に記載のＡＤＦ型画像読取装置において、前記読取ユニットの移動又は回転は手動により行われることを特徴とする。
【００１３】
請求項３に記載の発明によれば、読取ユニットの移動又は回転が手動により行われるため、読取ユニットの移動又は回転させるための装置が不要となる。これにより、ＡＤＦ型画像読取装置が大型化することを防止できるとともに製造コストが増大することを防止できる。
【００１４】
請求項４に記載の発明は、請求項１乃至３のいずれか１項に記載のＡＤＦ型画像読取装置において、外枠となる筐体を有し、前記シェーディング補正手段は、前記筐体と前記ガラス部材との間に挟まれて設けられていることを特徴とする。
【００１５】
請求項４に記載の発明によれば、シェーディング補正手段が筐体とガラス部材との間に挟まれて設けられているため、シェーディング補正手段に埃やゴミなどが付着することを確実に防止できる。これにより、光源部又は／及び読取部の感度のシェーディング補正精度が低下することを防止できる。また、シェーディング補正手段が筐体とガラス部材との間に挟まれて設けられているため、シェーディング補正手段を筐体内部で確実に固定することができる。
【発明の効果】
【００１６】
本発明によれば、シェーディング補正の補正精度を向上させることができる。
【発明を実施するための最良の形態】
【００１７】
次に、本発明の一実施形態に係るＡＤＦ型画像読取装置について、図面を参照して説明する。なお、本実施形態のＡＤＦ型画像読取装置は、用紙搬送装置を有するが、フラットベッドスキャナは有しないタイプの画像読取装置を前提とするものである。
【００１８】
図１に示すように、ＡＤＦ型画像読取装置１０は、外枠となる筐体１２を備えている。この筐体１２の下部には、用紙が収容されている用紙カセット１４が配置されている。また、筐体１２の一方の側面には、ジャム紙除去用カバー１６が開閉自在に設けられている。また、筐体１２の一方の側面の上部には、入力部１８が設けられている。この入力部１８には、複数の入力ボタン１８Ａと、所定の情報を表示する液晶表示部１８Ｂと、が設けられている。
【００１９】
また、筐体１２の上部には、用紙搬送装置（ＡＤＦ）２０が配置されている。この用紙搬送装置２０の内部には、用紙を画像読取部位Ａ（図２および図３参照）に供給するための搬送ローラ（図示省略）が設けられている。また、用紙搬送装置２０の用紙進入口の近傍には、用紙搬送装置２０の内部に供給される用紙が載置される給紙トレイ２２が設けられている。また、用紙搬送装置２０の用紙排出口の近傍に位置する筐体１２上面には、排紙トレイ２４が形成されている。この排紙トレイ２４は、給紙トレイ２２の下方に位置している。
【００２０】
また、図２及び図３に示すように、用紙の画像読取部位Ａに位置する筐体１２の上部にはフラットベッドに替えて平板状のコンタクトガラス２６が配置されている。また、コンタクトガラス２６の端部側上面と筐体１２上部の下面との間には白色に塗装された平板状のシェーディングプレート（シェーディング補正手段）２８が配置されている。このように、シェーディングプレート２８の上面は筐体１２上部の下面と接触しており、その下面はコンタクトガラス２６の端部側上面と接触しており、シェーディングプレート２８が外部に露出しないように設けられている。なお、シェーディングプレート２８は、上記位置に設けられている構成に限られるものではなく、コンタクトガラス２６の上面に設けられている構成であれば、他の部位に設けられていてもよい。
【００２１】
筐体１２の内部には、読取ユニット３０が配置されている。この読取ユニット３０には、光を出射させる光源部３２と、光源部３２から出射された光を所定の方向に反射させて画像読取部位Ａに照射させる複数の反射ミラー３４と、用紙又はシェーディンググプレート２８に照射された光の反射光を受光する読取部３６と、がそれぞれ収容されている。また、筐体１２の内部には、コンタクトガラス２６に対して略平行に延びるガイド部材３８が設けられている。上記読取ユニット３０は、ガイド部材軸方向（コンタクトガラス２６の下面に対して略平行）に移動できるようにガイド部材３８に取り付けられている。この読取ユニット３０の移動は、筐体１２の外部から手動で行うことができるようになっている、なお、読取ユニット３０を移動させる駆動機構（図示省略）とその駆動機構を制御する制御部（図示省略）を別途設け、制御部による制御信号に基づいて読取ユニット３０を移動させるようにしてもよい。
【００２２】
次に、本実施形態のＡＤＦ型画像読取装置１０の作用について説明する。
【００２３】
図２に示すように、用紙の画像を読み取る前に、読取ユニット３０を手動によりガイド部材３８に軸方向に沿ってシェーディング補正位置に移動させる。読取ユニット３０がシェーディング補正位置に移動させられた後、光源部３２から光を出射させる。光源部３２から出射された光は、複数の反射ミラー３４により反射されてコンタクトガラス２６上のシェーディングプレート２８に照射される。シェーディングプレート２８に光が照射されると、その光はシェーディングプレート２８で反射されて、読取部３６に入射する。読取部３６に入射された光量に基づいて光源部３２や読取部３６の感度がシェーディング補正される。
【００２４】
また、図３に示すように、光源部３２や読取部３６の感度のシェーディング補正が終了すると、読取ユニット３０を手動により画像読取部位Ａの下方に移動させる。読取ユニット３０を画像読取部位Ａに移動させられると、用紙搬送装置２０により画像読取部位Ａに供給される。用紙がコンタクトガラス２６の上面に接触したときに、読取ユニット３０の光源部３２から出射された光が複数の反射ミラー３４を経由して用紙の表面に照射される。用紙の表面に照射された光は、その表面で反射されて読取部３６に入射される。これにより、用紙の表面画像が読み取られる。
【００２５】
以上のように、用紙の表面画像を読み取る前に、読取ユニット３０をコンタクトガラス２６の下面に対して略平行に移動させ、コンタクトガラス２６の上面に配置されているシェーディングプレート２８に光を照射させ、その反射光の光量に基づいて光源部３２や読取部３６の感度がシェーディング補正されるため、読取ユニット３０からシェーディングプレート２８までの光路長と、読取ユニット３０からコンタクトガラス２６上面の用紙までの光路長と、が略同一となる。これにより、読取部３６により正確なシェーディング補正データを得ることができ、光源部３２又は／及び読取部３６の感度をシェーディング補正するときの補正精度を高めることができる。
【００２６】
特に、読取ユニット３０の移動が手動により行う構成とすることにより、読取ユニット３０の移動させるための駆動機構及び制御部が不要となる。これにより、ＡＤＦ型画像読取装置１０が大型化することを防止できるとともに製造コストが増大することを防止できる。
【００２７】
また、シェーディングプレート２８が筐体１２上部とコンタクトガラス２６上面との間に挟まれて設けられているため、シェーディングプレート２８に埃やゴミなどが付着することを確実に防止できる。これにより、光源部３２又は／及び読取部３６の感度のシェーディング補正精度が低下することを防止できる。また、シェーディングプレート２８が筐体１２上部とコンタクトガラス２６上面との間に挟まれて設けられているため、シェーディングプレート２８を筐体１２内部で確実に固定することができる。
【００２８】
次に、上記実施形態に係るＡＤＦ型画像読取装置１０の変形例について説明する。
【００２９】
上記実施形態のＡＤＦ型画像読取装置１０では、読取ユニット３０をコンタクトガラス２６の下面に対して略平行に移動させる構成を例にとり説明したが、この構成に限られるものではない。例えば、図４に示すように、筐体１２内部にガイド部材を設ける替わりに、回転軸４０を設け、読取ユニット４２をこの回転軸４０回りに回転可能となるように設けるように構成してもよい。
【００３０】
このとき、読取ユニット４２は筐体１２の外部から手動により回転させることができる構成にするとともに、さらに、読取ユニット４２が所定の角度だけ回転させられて、読取ユニット４２からシェーディングプレート２８までの光路長が読取ユニット４２からコンタクトガラス２６の上面に位置した用紙までの光路長と略同一の光路長となる位置に、シェーディングプレート２８を設ける必要がある。これにより、シェーディング補正するときには、読取ユニット４２を所定の角度だけ回転軸４０回りに回転させ、シェーディングプレート２８からの反射光を読取部３６で受光することにより正確なシェーディング補正データを得ることができ、光源部３２又は／及び読取部３６の感度のシェーディング補正精度を高めることができる。
【図面の簡単な説明】
【００３１】
【図１】本発明の一実施形態に係るＡＤＦ型画像読取装置の斜視図である。
【図２】本発明の一実施形態に係るＡＤＦ型画像読取装置を構成する読取ユニットがシェーディング補正位置に位置したときの断面図である。
【図３】本発明の一実施形態に係るＡＤＦ型画像読取装置を構成する読取ユニットが画像読取部位に位置したときの断面図である。
【図４】本発明の一実施形態に係るＡＤＦ型画像読取装置の変形例を構成する読取ユニットが画像読取部位に位置したときの断面図である。
【符号の説明】
【００３２】
１０    ＡＤＦ型画像読取装置
１２    筐体
２０    用紙搬送装置
２６    コンタクトガラス（ガラス部材）
２８    シェーディングプレート（シェーディング補正手段）
３０    読取ユニット
３２    光源部
３６    読取部
４２    読取ユニット
【図１】
2007036398.tif 000003
【図２】
2007036398.tif 000004
【図３】
2007036398.tif 000005
【図４】
2007036398.tif 000006